(57)【要約】【課題】組み込み式等のガスコンロの天板上に設けた操作部の温度上昇を低減させ、操作性と操作時の安心感を向上させる。【解決手段】コンロ本体１１と、コンロ本体の上部を覆う天板１３と、コンロ本体内に設け、天板上に臨むバーナ１５と、天板の上面における周辺前部１３ａにバーナの点火−消火および火力調節を行う操作部２５とを備え、バーナ１５と操作部２５の間の天板上に複数の通気孔３０を設け、操作部およびその周囲への熱伝導を抑える構成とした組み込み式ガスコンロである。【選択図】図２
2005241029.tif 000002
【特許請求の範囲】
【請求項１】
コンロ本体と、前記コンロ本体の上部を覆う天板と、前記コンロ本体内に設け、前記天板上に臨むバーナと、前記天板の上面における周辺部にバーナの点火−消火および火力調節を行う操作部とを備え、前記バーナと前記操作部の間の天板上に通気孔を設け、操作部およびその周囲への熱伝導を抑える構成としたガスコンロ。
【請求項２】
コンロ本体と、前記コンロ本体の上部を覆う天板と、前記コンロ本体内に設け、前記天板上に臨むバーナと、前記天板の上面における周辺前部にバーナの点火−消火および火力調節を行う操作部とを備え、前記バーナと前記操作部の間の天板上に通気孔を設け、さらに前記通気孔を覆って天板上に中空の遮熱壁を設けたガスコンロ。
【請求項３】
中空の遮熱壁に通気孔を設け、前記遮熱壁の通気孔より天板上に設けた通気孔を介してコンロ本体内に吸気可能な構成とした請求項２に記載のガスコンロ。
【請求項４】
操作部を設けた操作部設置部は、バーナ周辺天板部の材質より熱伝導の低い材質で形成した請求項１〜３のいずれか１項に記載のガスコンロ。
【請求項５】
操作部を設けた操作部設置部は、バーナ周辺天板部と分割した構成とし、前記バーナ周辺天板部と前記操作部設置部の接合部に熱伝導の低いパッキングを挟んだ構成とした請求項１〜４のいずれか１項に記載のガスコンロ。
【請求項６】
操作部は、タクトスイッチ、静電容量スイッチ等の軽く触って動作するソフトタッチ方式となる構成とした請求項１〜５のいずれか１項に記載のガスコンロ。
【発明の詳細な説明】
【技術分野】
【０００１】
本発明は、キッチンカウンターに組み込んで使用する組み込み式ガスコンロ、ガス置き台に載せて使用するガステーブル等のガスコンロに関し、特に操作部の構成に係るものである。
【背景技術】
【０００２】
従来、組み込み式ガスコンロは一般に加熱手段となるバーナの点火−消火（以下ＯＮ−ＯＦＦという）および火力調節は、器具本体であるコンロ本体の略垂直な前側面に設けた操作部で行っている。
【０００３】
また、操作部をコンロ本体の天板上に設けた場合、コンロ本体の両側のどちらか一方に本体より張り出すように設けている構成もある（例えば、特許文献１参照）。このような構成において、図５に示すようにコンロ本体１は、天板２をキッチンカウンター３に載せて組み込み、そして天板２上に並設したバーナ４の火炎の熱影響を避けるため、ガスコック５の操作部となる摘み６が天板２の上面における左右端部どちらかにおいて突出して設けねばならなくなる。図中、７はゴトクである。
【０００４】
しかしながら、上記従来の前者の構成では、コンロ本体の前側面の操作部でバーナのＯＮ−ＯＦＦおよび火力調節を行う場合、その操作部が通常、腰の高さにあるので、身体を折り曲げる、または屈み込む等の不自然な姿勢を強いられ、操作がし難いのと操作の結果を見て確認する視認性が悪かった。
【０００５】
また、摘み６は天板２の左右端部のいずれかに設けているので、キッチンカウンター３のスペースを摘み６の設置スペース分だけ狭くすることになり、摘み６を複数設ける場合、天板２の手前側から奥方向に複数の摘みを並べることになるため、奥に設けた摘みほど操作性が悪くなることが考えられる。
【特許文献１】特開２００２−８９８５４号公報
【発明の開示】
【発明が解決しようとする課題】
【０００６】
前記背景技術の問題点に鑑み、本発明が解決しようとする課題は、楽な姿勢でコンロの操作部の操作が行え、かつバーナの火炎による操作部への熱影響を軽減するガスコンロを提供することにある。
【課題を解決するための手段】
【０００７】
前記課題を解決するために、本発明のガスコンロは、コンロ本体と、前記コンロ本体の上部を覆う天板と、前記コンロ本体内に設け、前記天板上に臨むバーナと、前記天板の上面における周辺部にバーナの点火−消火および火力調節を行う操作部とを備え、前記バーナと前記操作部の間の天板上に通気孔を設け、操作部およびその周囲への熱伝導を抑える構成にしたものである。
【０００８】
これによって、バーナ周辺の高温となる天板部分から天板上の操作部への熱移動を軽減して操作部の温度上昇を抑え、安全で、かつ操作性、視認性を高めることができる。
【発明の効果】
【０００９】
本発明のガスコンロは、天板の上面における周辺部に配置した操作部の温度上昇を抑えることができ、安全性、操作性、視認性を高めることができる。
【発明を実施するための最良の形態】
【００１０】
第１の発明は、コンロ本体と、前記コンロ本体の上部を覆う天板と、前記コンロ本体内に設け、前記天板上に臨むバーナと、前記天板の上面における周辺部にバーナの点火−消火および火力調節を行う操作部とを備え、前記バーナと前記操作部の間の天板上に複数個の通気孔を設け、操作部およびその周囲への熱伝導を抑える構成としたガスコンロである。
【００１１】
これにより、バーナと操作部の間の天板上に設けた通気孔により、バーナ周辺の高温となる天板部分から操作部への熱の通過面積が狭くなり、操作部の温度上昇を抑えることができるので、天板上の周辺部へ自在に操作部を配置することが可能になり、操作部の設置位置が容易に決められ、かつ操作性、視認性を高めることができるとともに、天板直下に電装部品等の配置も可能となる。
【００１２】
第２の発明は、コンロ本体と、前記コンロ本体の上部を覆う天板と、前記コンロ本体内に設け、前記天板上に臨むバーナと、前記天板の上面における周辺前部にバーナの点火−消火および火力調節を行う操作部とを備え、前記バーナと前記操作部の間の天板上に通気孔を設け、さらに前記通気孔を覆って天板上に中空の遮熱壁を設けたガスコンロである。
【００１３】
これにより、遮熱壁がバーナの火炎からの熱気も遮るので、熱移動抵抗の大なる通気孔の働きと相俟って、さらに操作部の温度を一層低減し、操作部の操作性を高めることができるとともに、天板上の通気孔を隠すことで塵の侵入を防止でき、かつ外観上有利であるだけでなく、天板上に置いた鍋等に遮熱壁が邪魔をして操作部が操作されるのを防止できる。
【００１４】
第３の発明は、第２の発明における中空の遮熱壁に通気孔を設け、前記遮熱壁の通気孔より天板上に設けた通気孔を介してコンロ本体内に吸気可能な構成としたことにより、吸気による操作部およびその周囲への冷却効果が働き、さらに操作部の温度上昇を低減でき、操作性、操作時の安心感を高めることができる。
【００１５】
第４の発明は、第１から第３の発明のいずれかの発明において、操作部を設けた操作部設置部を、バーナ周辺天板部の材質より熱伝導の低い材質で構成にしたことにより、さらに操作部の温度上昇を低減でき、操作性、操作時の安心感を高めることができる。
【００１６】
第５の発明は、第１から第４の発明のいずれかの発明において、操作部を設けた操作部設置部を、バーナ周辺天板部と分割した構成とし、前記バーナ周辺天板部と前記操作部設置部の接合部に熱伝導の低いパッキングを挟んだ構成としたことにより、パッキングにより前記バーナ周辺の天板部の熱が操作部に伝わるのを抑制して、さらに操作部の温度上昇を低減でき、操作性、操作時の安心感を高めることができる。
【００１７】
第６の発明は、第１から第５の発明のいずれかの発明において、操作部はタクトスイッチ、静電容量スイッチ等の軽く触って動作するソフトタッチ方式となる構成にしたことにより、天板上の温度的に設置可能な周辺部に自在に操作部を配置することが可能になり、操作部の設置位置が容易に決められ、かつ操作性、視認性を高めることができる。
【００１８】
以上のように本発明のガスコンロは、第１から第６の発明を実施の形態の要部とすることにより本発明の目的を達成できるので、以下には各請求項に対応する実施の形態の詳細を、図１〜図４を参照して説明し本発明を実施するための最良の形態の説明とする。なお、この実施の形態によって本発明が限定されるものではない。また、本発明における実施の形態の説明において、同一構成並びに作用効果を奏するところには同一符号を付して重複した説明を行わないものとする。
【００１９】
（実施の形態１）
図１は、本発明の実施の形態１における組み込み式ガスコンロの要部切欠の上面図で、図２は同組み込み式ガスコンロの概略断面図で、図３は同組み込み式ガスコンロの操作部付近の拡大概略断面図で、図４は組み込み式ガスコンロのガス流量制御部分のブロック図である。
【００２０】
図１〜図４において、機器本体であるコンロ本体１１は、箱状に成形されたケース１２で構成し、上部を天板１３で覆われている。そして、コンロ本体１１は、キッチンカウンター１４の開口部１４ａに落し込んで組み込まれ、天板１３はその外周縁を開口部１４ａの周縁部の上面に載置して設置されている。
【００２１】
ガスを燃料とするバーナ１５は、一部がケース１２内に位置して天板１３上に高く突き出ないように臨まして、天板１３の手前側の左右と、この左右間の真中にあって後側にそれぞれ配置した３個が設けられている。この３個のバーナ１５には、それぞれガス流量制御装置１６が配管され、各ガス流量制御装置１６を介してガスの供給と遮断、そしてガス流量の制御で火力調節が行われる。
【００２２】
操作部２５は、電気接点方式のスイッチで、タクトスイッチ、静電容量スイッチ等を採用して軽く触っても動作するソフトタッチ方式に構成し、３個のバーナ１５にそれぞれ対応して設けたもので、ガス流量制御装置１６とは別個に形成したものである。すなわち、操作部２５は、ガス流量制御装置１６と別個に形成できるのは、ガス流量制御装置１６が電池電源２０を電源にし、かつパルス信号により回転するステッピングモータ１９により作動されるスライド閉子１８とガス流量制御板１７、エンコーダ２２で構成され、そして制御手段２３の制御の指示で動作するものであるからで、フラットケーブル２４で操作部２５を制御手段２３に電気的に接続するだけでバーナ１５のＯＮ−ＯＦＦおよび火力調節の信号を送ることが可能になる。
【００２３】
従って、操作部２５はガス流量制御装置１６、制御手段２３の設置位置に左右されることなく別個にして、バーナ１５の火炎による熱影響を避けられ、かつ操作性がよく、さらに操作前後の視認性がよくなるのを主として考慮し、天板１３上の温度的に設置可能なバーナ１５の熱影響の少ない天板１３の上面における周辺部の一つの手前側である周辺前部１３ａに設け、制御手段２３とはフラットケーブル２４を介して接続して、使用者の手の指が触れることでバーナ１５のＯＮ−ＯＦＦおよび火力調節を行う信号を制御手段２３に送るものである。
【００２４】
表示部２７は操作部２５である火力調節操作部２５ｂの真上に近接して５段階の火力調節と点火消火の表示ができるようにＬＥＤを操作部２５と並べて操作部設置部２６に設けており、操作部２５である点火消火操作部２５ａと火力調節操作部２５ｂに使用者の指等が触れるのに連動して点灯、消灯できるようにフラットケーブル２４を介して制御手段２３に接続している。
【００２５】
また、操作部２５を構成する点火消火操作部２５ａ、火力調節操作部２５ｂと表示部２７は、合成樹脂製の細長い形状の操作部設置部２６に設けてその表面を樹脂製のメンブレムにより覆われ、点火消火操作部２５ａ、火力調節操作部２５ｂの下部にはタクトスイッチを配置し、かつ操作部設置部２６の下側に配置したプリント基板（図示せず）で構成し、プリント基板にフラットケーブル２４の一端が接続され、他端はガス流量制御装置１６の制御手段２３に接続されている。
【００２６】
そして、操作部設置部２６は天板１３の上面における周辺前部１３ａに一段低く断押しした箇所１３ｂへ、接着材を兼ねた断熱性のパッキング３８を介して取付け、天板１３を通じてバーナ１５の火炎による熱が操作部２５の操作部設置部２６に伝わるのをパッキング３８により抑制する。
【００２７】
一方、天板１３は、３個のバーナ１５を上面に臨ましたバーナ周辺天板部である耐熱強化ガラス３９と、この耐熱強化ガラス３９を一体に嵌め込んだステンレス製の天板枠４０により構成され、操作部２５のタクトスイッチを押す外殻を成す操作部設置部２６は、熱伝導の低い断熱性のパッキング３８を介してステンレス製の天板枠４０に接着して一体化されている。
【００２８】
また、天板１３の天板枠４０は、周辺前部１３ａにおいて３個のバーナ１５と操作部２５の間に位置して複数の通気孔３０を横方向に並べて設け、耐熱強化ガラス３９及び天板枠４０の一部分から操作部２５への熱の通過面積を狭く構成し、天板１３を通じてバーナ１５の火炎による熱が操作部２５の操作部設置部２６に伝わるのを抑制している。
【００２９】
また天板１３は、耐熱強化ガラス３９とステンレス製の天板枠４０、および天板枠４０と合成樹脂製の操作部設置部２６の間に、熱伝導の低いパッキング３８がそれぞれ挟まれており、天板１３を通じてバーナ１５の火炎による熱が操作部２５の操作部設置部２６に伝わるのをパッキング３８により確実に抑制している。
【００３０】
細長い略断面逆Ｕ字状の中空の遮熱壁２８は、合成樹脂で形成し、バーナ１５と操作部２５および表示部２７の間において複数の通気孔３０を覆い、かつ天板１３の上面より突出して横長に設け、バーナ１５の火炎による熱を遮り、操作部２５と表示部２７をバーナ１５の火炎の熱から護り、熱的影響を軽減する。
【００３１】
また、遮熱壁２８は図３に示すように、通気孔３０の前後に位置する天板枠４０への取付け部分である取付け部４１と取付け部４１に嵌合した天板枠４０の取付け孔４２の間にも、天板１３を構成する耐熱強化ガラス３９とステンレス製の天板枠４０の間に介在させたパッキング３８を利用して介在させ、耐熱強化ガラス３９、天板枠４０を通じてバーナ１５の火炎による熱が遮熱壁２８および通気孔３０に伝わるのを抑制している。そして、遮熱壁２８はバーナ１５が高さを低く（天板１３より突き出ている部分）しているので、同じように高さをできるだけ低く設定している。
【００３２】
さらに、遮熱壁２８はバーナ１５側に対向した面の上部に複数の通気孔２９を設けている。従って、バーナ１５が燃焼しているときはコンロ本体１１であるケース１２内がやや温度が上昇することも作用して矢印で示すように一次燃焼用、二次燃焼用の空気が通気孔２９、遮熱壁２８の内部空間、通気孔３０を経てケース１２に流れ（吸気作用）てバーナ１５の燃焼に使用され、バーナ１５が消火すると矢印と逆に空気の流れ（排気作用）が生じてケース１２内のやや温度上昇した空気を素早く排出する働きをして、吸排気いずれの状態にあっても遮熱壁２８の内部空間に空気の流動が生じるので遮熱、冷却作用に貢献できるものである。
【００３３】
バックガード３１は、天板１３の後側周辺部を徐々にやや上向きに傾斜させた前傾斜面３１ａとこの前傾斜面の頂上より急に下降した後傾斜面３１ｂとを有し、後傾斜面３１ｂに複数の通気孔３２を形成して、前記した遮熱壁２８の通気孔２９、天板１３の通気孔３０と同様の作用効果、つまり二次燃焼用の空気のケース１２内への流入、そしてケース１２内の温度上昇した空気の排出を期待する構成にしたものである。
【００３４】
なお、図中３３はゴトク、３４は天板１３に設けたバーナ突出用開口部、３５はガス流量制御装置１６の手前に配管接続した元電磁弁で、ステッピングモータ１９、エンコーダ２２の故障、フラットケーブル２４の断線等の発生、または電源停止等で制御不能の時にガスの供給を遮断する。電源操作部３６は、操作部２５と同様の構成で以って操作部設置部２６に設けた操作部２５の一つで、ガスコンロの使用安全を図るため、電池電源２０をＯＮ、ＯＦＦする電源スイッチである。３７は放電によりバーナ１５から噴出するガスに点火する放電点火手段である。
【００３５】
上記実施の形態における組み込み式ガスコンロについて、以下その動作、作用を説明する。使用者は電源操作部３６を軽く押すと、電池電源２０が制御手段２３に供給される。続いて、点火消火操作部２５ａを押すと点火の信号がフラットケーブル２４を介して制御手段２３に送られ、そして制御手段２３により表示部２７の一つが点灯されるとともに、放電点火手段３７が放電を始める。一方、フラットケーブル２４を介して信号が伝達されたガス流量制御装置１６は、そのステッピングモータ１９が駆動されてスライド閉子１８が移動してガスがバーナ１５に供給され、放電を始めた放電点火手段３７により点火されバーナ１５に火炎が形成される。
【００３６】
そして、左右いずれかの火力調節操作部２５ｂを使用者が押すと、その押す回数により表示部２７の点灯数が増減し、また制御手段２３は火力調節操作部２５ｂの押す回数の信号とエンコーダ２２からのスライド閉子１８の位置に対応したステッピングモータ１９の現在置の信号をそれぞれ取り込み、スライド閉子１８をスライドさせる値を演算してステッピングモータ１９にパルス信号を送る。
【００３７】
一方、このステッピングモータ１９により作動されたガス流量制御装置１６は、火力調節操作部２５ｂの設定値になるようにガス流量を制御してバーナの燃焼量を制御して火力が調節される。また、バーナ１５の消火を行うときは、点火消火操作部２５ａを再び押すことで消火の信号の伝達された制御手段２３は、ステッピングモータ１９を駆動してスライド閉子１８を閉じるとともに、表示部２７も消灯するものである。
【００３８】
このように本実施の形態では、バーナ１５にガスの供給、遮断とガス流量の制御で火力調節を行うガス流量制御装置１６およびその制御手段２３をコンロ本体１１のケース１２内に設置し、一方、操作部２５はガス流量制御装置１６およびその制御手段２３の設置位置に左右されることなく別個に設置できるので、バーナ１５の火炎による熱影響を避け、操作性がよく、操作前後における操作部の視認性のみを考慮して天板１３上の温度的に設置可能な天板１３の上面における周辺部の一つである周辺前部１３ａに配置することが可能になる。
【００３９】
従って、使用者はキッチンカウンター１４におけるガスコンロの天板１３の手前に立った姿勢で操作部２５を上から見ながら、手を出して上方より操作部２５を操作でき、操作性、視認性を大幅に向上させることができる。
【００４０】
また、操作部２５とバーナ１５の間に位置して天板１３上に設けた複数の通気孔３０は、バーナ１５の火炎により加熱されたバーナ周辺天板部からの熱が操作部２５側へ通過する面積を狭くする役割を果たし、操作部２５の温度上昇を低減する作用に貢献できるものである。そして、さらに通気孔３０はバーナ１５の燃焼および消化により発生するコンロ本体１１のケース１２内に外気を吸気およびケース１２内より排気するので、前記吸排気流により操作部１５の冷却と遮熱の両作用も果し、バーナ周辺天板部からの熱が操作部２５側へ移動するのを積極的に抑制することができる。
【００４１】
また、遮熱壁２８は操作部２５とバーナ１５との間において天板１３上に設置され、かつ操作部２５とバーナ１５の間の天板１３上に設けた複数の通気孔３０を覆っているので、バーナ１５の火炎からの熱気を遮熱し、熱移動抵抗の大なる通気孔３０の働きと相俟って操作部２５の温度上昇を一層低減するとともに、鍋等が遮熱壁２８に置かれる事態が発生しても操作部２５に触ることがなくなり、天板１３上に置いた鍋等で操作部２５が不意に操作されるのを防止することができる。さらに、天板１３上の複数の通気孔３０を隠すことでケース１２内への塵の侵入を防止でき、かつ外観上有利でもある。
【００４２】
また、遮熱壁２８は中空であって、かつバーナ１５側に面した後壁に通気孔２９を設けて、バーナ１５の燃焼時に通気孔２９より天板１３上に設けた通気孔３０を介してコンロ本体１１のケース１２内に吸気作用を生じさせ、バーナ１５の燃焼を消火した時には逆に通気孔３０、遮熱壁２８の中空、遮熱壁２８の通気孔２９の順でコンロ本体１１のケース１２内に排気作用を生じさせるのである。従って、遮熱壁２８の中空内に前記吸排気流れが起こり、操作部２５およびその周囲への冷却効果が働き、さらに操作部の温度上昇を低減できる。
【００４３】
また、操作部２５の操作部設置部２６は、周辺の天板枠４０及びバーナ周辺の耐熱強化ガラス３９より熱伝導の低い材質である、例えば合成樹脂で形成しているので、バーナ１５の火炎による熱気が天板枠４０及び耐熱強化ガラス３９より操作部２５に熱伝導するのを軽減でき、操作部２５の温度上昇を低減できる。
【００４４】
また、操作部２５の操作部設置部２６は、周辺の天板枠４０及びバーナ周辺の耐熱強化ガラス３９とは分割して構成し、さらに周辺の天板枠４０と操作部設置部２６の接合部と、耐熱強化ガラス３９と遮熱壁２８の接合部に熱伝導の低いパッキング３８を挟んでいるので、パッキングによりバーナ周辺天板部の熱が操作部２５の操作部設置部２６に伝わるのを抑制して、さらに操作部２５の温度上昇を低減でき、操作性、操作時の安心感を高めることができるとともに、天板１３の下に配置したケース１２の制御手段２３の電装部品の信頼性を高めることもできる。
【００４５】
また、操作部２５はタクトスイッチや静電容量スイッチ等の軽く触って動作するソフトタッチ方式に構成したので、操作部２５を天板１３と同程度の厚さで構成でき、天板上の掃除を容易に行うことができる。
【００４６】
なお、上記実施の形態では、ガスコンロの操作部２５を、天板１３の上面における手前側周辺部である周辺前部１３ａに横方向に配置したが、天板１３の左側周辺部または右側周辺部、そして天板１３の上面における手前側周辺部、左側周辺部、右側周辺部のそれぞれに分けて操作部を設けることも可能で、本実施の形態と同等の作用効果を期待できるものである。
【００４７】
また、上記実施の形態では遮熱壁２８の後壁に通気孔２９を設けたが、操作部２２に対向する前壁、さらに前と後の壁の両方に設けても、本実施の形態と同等またはそれ以上の作用効果を期待できるものである。
【００４８】
また、上記実施の形態では本発明を組み込み式ガスコンロに採用したが、据え置き型のガステーブルの操作部にも同様の構成が適用でき、本発明と同等の作用効果を期待できるものである。
【００４９】
また、上記実施の形態ではガス流量制御装置１６としてモータにより作動されてガスの供給、遮断とガス流量の調節を行っているが、本発明はこれに限定されるものではなく、目的を達成できる範囲内で種々、変更できるものである。
【産業上の利用可能性】
【００５０】
以上のように本発明は、ガス流量制御装置およびその制御手段とは別個に操作部を天板の上面における周辺部に配置することができ、ガスコンロ、ガステーブル等の操作部分を改善する技術に適用できる。
【図面の簡単な説明】
【００５１】
【図１】本発明の実施の形態１における組み込み式ガスコンロの要部切欠の上面図
【図２】同実施の形態１における組み込み式ガスコンロの概略断面図
【図３】同実施の形態１における組み込み式ガスコンロの操作部付近の拡大断面図
【図４】同実施の形態１における組み込み式ガスコンロのガス流量制御部分のブロック図
【図５】従来の組み込み式ガスコンロの概略断面図
【符号の説明】
【００５２】
１１  コンロ本体
１３  天板
１３ａ  周辺前部（周辺部）
１５  バーナ
１６  ガス流量制御装置
２３  制御手段
２４  フラットケーブル
２５  操作部
２５ａ  点火消火操作部
２５ｂ  火力調節操作部
２７  表示部
２８  遮熱壁
２９、３０  通気孔
３８  パッキング
３９  耐熱強化ガラス（バーナ周辺天板部）
４０  天板枠（バーナ周辺天板部）
【図１】
2005241029.tif 000003
【図２】
2005241029.tif 000004
【図３】
2005241029.tif 000005
【図４】
2005241029.tif 000006
【図５】
2005241029.tif 000007